(57)【要約】【課題】連続運針によって指針が滑らかに動くアナログ電子時計の歩度測定と非接触通信とを容易に実現して、確実な歩度測定と高精度な歩度調整を可能とする電子時計を提供する。【解決手段】モータ１０と、モータ１０を駆動するモータ駆動回路２９と、各種タイミング信号を作成するタイミング信号作成回路２３と、モータ１０を駆動するための駆動パルスＰ１０を作成し出力する駆動パルス成形回路２４と、歩度パルスＰ１１を作成し出力する歩度パルス成形回路２５と、リューズ３の操作により外部操作信号Ｐ１を出力する外部入力回路２６と、外部操作信号Ｐ１によって駆動パルスＰ１０と歩度パルスＰ１１のモータ駆動回路２９への出力を切り替え制御する制御回路２７とを有する構成とした。【選択図】図１
2011185831.tif 000002
【特許請求の範囲】
【請求項１】
モータと、該モータを駆動するモータ駆動回路と、
各種タイミング信号を作成するタイミング信号作成回路と、
該タイミング信号作成回路より出力されるタイミング信号を入力して、前記モータを駆動するための駆動パルスを作成し出力する駆動パルス成形回路と、
該タイミング信号作成回路より出力されるタイミング信号を入力して、歩度を測定するための歩度パルスを作成し出力する歩度パルス成形回路と、
外部操作部材の操作により外部操作信号を出力する外部入力回路と、
前記外部操作信号によって、前記駆動パルスと前記歩度パルスの前記モータ駆動回路への出力状態を制御する制御回路と、を有する
ことを特徴とする電子時計。
【請求項２】
前記駆動パルスは１秒より短い周期で出力され、
前記歩度パルスはＮ秒（Ｎは、Ｎ≧１の自然数）周期で出力され、
前記制御回路は、前記外部操作信号の入力により、
前記駆動パルスの出力を停止し、前記歩度パルスを出力する
ことを特徴とする請求項１に記載の電子時計。
【請求項３】
外部装置からの信号を前記モータにより受信するための通信パルスを、
前記タイミング信号作成回路より出力されるタイミング信号を入力して作成し、
前記モータ駆動回路に出力する通信パルス作成回路を有し、
該通信パルス作成回路は、前記外部操作信号の入力により前記通信パルスの出力を許可される
ことを特徴とする請求項２に記載の電子時計。
【請求項４】
前記モータが二極ステップモータであり、
前記モータ駆動回路が該二極ステップモータ駆動用の２端子を有し、
前記歩度パルスと前記通信パルスが該２端子の同一の端子から出力され、かつ、
該２端子の内の一方の端子からのみ出力される
ことを特徴とする請求項３に記載の電子時計。
【請求項５】
前記外部操作部材がリューズであり、
該リューズを通常位置と異なる位置に操作すると、前記外部操作信号が前記外部入力回路から出力されることを特徴とする請求項１から４のいずれか１つに記載の電子時計。
【発明の詳細な説明】
【技術分野】
【０００１】
本発明は、連続運針のアナログ電子時計における歩度測定および外部装置との非接触通信の改良に関する。
【背景技術】
【０００２】
従来、指針表示を備えたアナログ式電子時計の運針は、１秒周期で行われることが一般的である。また、最近見直されつつある指針を滑らかに動かす連続運針（スイープ運針と呼ばれる）のアナログ時計も開示されている（例えば、特許文献１参照）。この特許文献１で開示されているアナログ電子時計は、通常は１秒間に８ステップでの運針が行われ、時刻が遅れているときは、スイッチを操作して１秒間に１６ステップの運針にして遅れを修正する。また、時刻が進んでいるときは、スイッチを操作して１秒間に４ステップの運針にして進みを修正するものである。これにより、指針の動きが視覚的に連続して動いているように見えると共に、簡単な操作で時刻修正が可能であることが示されている。
【０００３】
また、近年、電子時計は高精度化が進み、時計の遅れ進みの誤差を１年を単位として示す、所謂、年差時計も製品化されている。この年差時計は、時計の歩度を高精度に調整する必要があるために、搭載される時間基準となる水晶振動子の発振周波数に合わせて歩度調整を行う手段を備え、ムーブメントの完成時に、高精度な歩度調整を行い、その調整データを内部回路のメモリに記憶する方式が一般的である。しかし、歩度調整されたムーブメントを時計外装に組み込むと、回路の浮遊容量等の変化や水晶振動子への応力の変化で、水晶振動子の発振周波数が変動し、完成時計の歩度にずれが生じる問題がある。
【０００４】
このため、ムーブメントを外装に組み込んだ後に、最終的な歩度調整を行う必要があり、この問題を解決するために、非接触によって時計と外部装置が通信して歩度調整（周波数調整）を行う通信システムが開示されている（例えば、特許文献２参照）。
【０００５】
この特許文献２で開示されている電子時計の送受信システムは、アナログ電子時計のモータコイルと外部装置のコイルを近接して磁気結合させ、モータを駆動する駆動パルスの合間を使って、時計と外部装置との間でデータの送受信を行う非接触通信技術であり、歩度調整などを目的としている。ここで、外部装置は、アナログ時計の１秒運針による駆動パルスのタイミングに同期してデータを送信する。一方、アナログ時計は、送信されるタイミングに合わせてモータのコイルをハイインピーダンスにし、コイルに誘起される起電力によってデータ受信を行う。
【０００６】
これにより、時計は非接触によって外部装置とデータ通信が出来るので、時計の外装にムーブメントを組み込んだ状態での通信が可能となり、外装に組み込まれ完成品となった時計の歩度調整が可能となることが示されている。
【先行技術文献】
【特許文献】
【０００７】
【特許文献１】特開昭５５―１６２３８号公報（第２頁、第３図）
【特許文献２】特開平１１−８４０２８号公報（第４頁、第２図）
【発明の概要】
【発明が解決しようとする課題】
【０００８】
しかしながら、特許文献１で開示された連続運針のアナログ電子時計は、広く用いられているアナログ電子時計の歩度測定器によって、時計の歩度を測定することが難しいとい
う問題がある。すなわち、一般に用いられているアナログ電子時計の歩度測定器は、１秒に１回（１Ｈｚ）の運針を想定し、１秒ごとに出力される駆動パルスで駆動されるモータから漏れる電磁パルスを検出して歩度測定を行っている。また、時計によっては、歩度測定のために駆動パルスの直前に歩度パルスが出力される場合もあるが、この歩度パルスも１秒に１回の信号である。
【０００９】
しかし、連続運針の場合は、時計のモータから漏れる電磁パルスは、１秒間に数多く（たとえば８回または１６回）発生する。一方、一般的な歩度測定器は、前述したように、１秒に１回の運針を想定して設計されているので、周期の短い電磁パルスを検出することが出来ない。また、仮に検出できたとしても、周期の短い電磁パルスはノイズ成分として認識されやすく、安定した歩度測定が困難である。
【００１０】
また、特許文献２の電子時計の送受信システムも同様に、アナログ時計の運針を１秒に１回と想定して、１秒に１回出力される駆動パルスの合間を用いて、外部装置と通信を行うことが前提となっている。しかし、連続運針のアナログ時計の場合は、駆動パルスが頻繁に出力されるので、駆動パルスの合間を用いた通信は、時間的な余裕が無く困難である。また、モータコイルには頻繁に駆動電流が流れるので、これによって電気的なノイズが多く発生し、通信の障害となる。また、仮に通信が出来たとしても、１秒運針のアナログ時計を前提とした従来の外部装置の改造が必要となり、新たな設備投資が不可欠である。
【００１１】
本発明の目的は上記課題を解決し、連続運針のアナログ時計において、歩度測定とモータコイルによる非接触通信が容易に実現できる電子時計を提供する。
【課題を解決するための手段】
【００１２】
上記課題を解決するために、本発明の電子時計は、下記記載の構成を採用する。
【００１３】
本発明の電子時計は、モータと、該モータを駆動するモータ駆動回路と、各種タイミング信号を作成するタイミング信号作成回路と、該タイミング信号作成回路より出力されるタイミング信号を入力して、モータを駆動するための駆動パルスを作成し出力する駆動パルス成形回路と、該タイミング信号作成回路より出力されるタイミング信号を入力して、歩度を測定するための歩度パルスを作成し出力する歩度パルス成形回路と、外部操作部材の操作により外部操作信号を出力する外部入力回路と、外部操作信号によって、駆動パルスと歩度パルスのモータ駆動回路への出力状態を制御する制御回路と、を有することを特徴とする。
【００１４】
これにより、外部操作部材を操作することで、駆動パルスと歩度パルスの出力を制御できるので、時計の歩度測定を行う場合に、駆動パルスを停止して歩度パルスのみを出力できる。これによって、時計の歩度測定を確実に実施することが可能となる。
【００１５】
また、駆動パルスは１秒より短い周期で出力され、歩度パルスはＮ秒（Ｎは、Ｎ≧１の自然数）周期で出力され、制御回路は、外部操作信号の入力により、駆動パルスの出力を停止し、歩度パルスを出力することを特徴とする。
【００１６】
これにより、駆動パルスは、１秒より短い周期で出力されるので連続運針を行うことが出来る。また、歩度パルスは１秒、または１秒より長い周期で出力されるので、一般的な歩度測定器によって時計の歩度を確実に測定することが出来る。
【００１７】
また、外部装置からの信号をモータにより受信するための通信パルスを、タイミング信号作成回路より出力されるタイミング信号を入力して作成し、モータ駆動回路に出力する通信パルス作成回路を有し、該通信パルス作成回路は、外部操作信号の入力により通信パ
ルスの出力を許可されることを特徴とする。
【００１８】
これにより、外部装置からの信号をモータによって受信出来るので、非接触による通信が可能となる。これによって、ムーブメントを時計外装に入れた状態で、周波数調整が可能となり、時計の高精度な歩度調整を実現することが出来る。
【００１９】
また、モータが二極ステップモータであり、モータ駆動回路が該二極ステップモータ駆動用の２端子を有し、歩度パルスと通信パルスが該２端子の同一の端子から出力され、かつ、該２端子の内の一方の端子からのみ出力されることを特徴とする。
【００２０】
これにより、モータ駆動回路の２端子の特性差を排除出来るので、安定した歩度測定と非接触通信を実現することが出来る。
【００２１】
また、外部操作部材がリューズであり、該リューズを通常位置と異なる位置に操作すると、外部操作信号が外部入力回路から出力されることを特徴とする。
【００２２】
これにより、リューズの簡単な操作で、歩度測定や非接触通信を実施出来るので、時計の調整工程での作業性が改善され、また、時計が市場に出回ったときのメンテナンス性にも優れている。
また、リューズ２段引き等の操作による指針の停止と時刻合わせの機能は、一般的なアナログ電子時計の略全てに搭載されているので、本発明は、特別な外部操作部材や仕様の追加無しに実現することが可能である。
【発明の効果】
【００２３】
本発明の電子時計によれば、最近、見直されつつある連続運針によって指針が滑らかに動くアナログ時計の歩度測定と非接触通信とを容易に実現して、確実な歩度測定と高精度な歩度調整が可能な電子時計を提供することが出来る。
【図面の簡単な説明】
【００２４】
【図１】本発明の実施形態の電子時計の内部構成を示すブロック図である。
【図２】本発明の実施形態の電子時計の外観図である。
【図３】本発明の実施形態の動作順序を説明するフローチャートである。
【図４】本発明の実施形態の動作を説明するタイミングチャートである。
【図５】本発明の実施形態の駆動パルスを説明するタイミングチャートである。
【図６】本発明の実施形態の歩度パルスと通信パルスを説明するタイミングチャートである。
【図７】本発明の実施形態の非接触通信の動作順序を説明するフローチャートである。
【図８】本発明の実施形態の非接触通信の基本原理を説明するタイミングチャートである。
【図９】本発明の実施形態の電子時計と外部装置との関係を説明する斜視図である。
【図１０】本発明の実施形態の非接触通信動作の変形例を説明するフローチャートである。
【図１１】本発明の実施形態の非接触通信動作の他の変形例を説明するフローチャートである。
【発明を実施するための形態】
【００２５】
以下図面に基づいて本発明の実施形態を詳述する。
［実施形態の電子時計の内部構成説明：図１］
まず、実施形態の電子時計の全体構成の一例を図１を用いて説明する。図１において、１は実施形態の電子時計である。電子時計１は、時間基準信号を発生する水晶振動子２、
外部操作部材としてのリューズ３、電池５、秒針、分針、時針等によって成る表示部６、表示部６を駆動するモータ１０、及び、電子回路２０などによって構成される。なお、電子時計１には、モータ１０からの回転力を表示部６に伝達する輪列などがあるが、図示は省略している。
【００２６】
１００は外部装置であり、歩度測定器、または、歩度調整装置などで構成され、ここでは図示しないが、外部装置１００の内部のコイルと電子時計１のモータ１０とが、磁束Ｍによって電磁結合し、非接触で信号の送信または受信を行う。
【００２７】
水晶振動子２は、一例として３２，７６８Ｈｚの発振周波数を有し、電子回路２０に接続される。外部操作部材としてのリューズ３は、リューズ３の操作位置に応じた信号を出力して電子回路２０に入力する。なお、外部操作部材はリューズに限定されず、押しボタンスイッチなどでも良い。電池５は所定の電圧を出力し、電子回路２０に供給されて電子回路２０を駆動する電源となる。モータ１０は二極ステップモータであり、２端子のコイル１１を有し、電子回路２０からコイル１１の２端子に後述する駆動信号が出力される。
【００２８】
次に、電子回路２０の内部構成を説明する。電子回路２０は、電子時計１のすべての制御を担当し、ワンチップＩＣによって構成されるが、機能別に複数のチップによって構成しても良い。２１は発振回路であり、水晶振動子２に接続して発振を行い、３２，７６８Ｈｚの基準信号Ｐ２を出力する。なお、発振回路２１は、後述する制御信号によって内蔵コンデンサ（図示せず）を切り替えて、発振周波数を微調整する機能を備えている。
【００２９】
２２は分周回路であり、基準信号Ｐ２を入力して所定の分周比で分周し、分周信号Ｐ３を出力する。なお、分周回路２２は、後述する制御信号によって分周比を切り替え、出力である分周信号Ｐ３の周波数を調整する機能を備えている。２３はタイミング信号作成回路であり、分周信号Ｐ３を入力して複数のタイミング信号Ｐ４、Ｐ５、Ｐ６を出力する。
【００３０】
２４は駆動パルス成形回路であり、タイミング信号Ｐ４と後述する回転検出信号Ｐ７を入力して、モータ１０を駆動するための駆動パルスＰ１０を出力する。なお、駆動パルスＰ１０は指針を連続運針するために、１秒より早い周期のパルス群で構成されるが、詳細は後述する。
【００３１】
２５は歩度パルス成形回路であり、タイミング信号Ｐ５を入力して、歩度を測定するための１秒周期の歩度パルスＰ１１を出力する。２６は外部入力回路であり、リューズ３からの信号を入力して、リューズ３の操作に応じた外部操作信号Ｐ１を出力する。また、外部入力回路２６は、図示しないがリューズ３以外に外部操作部材があれば、その部材からも信号を入力して外部操作信号Ｐ１を出力する。ここで、外部操作信号Ｐ１は、外部操作部材ごとの複数の信号でも良く、また、シリアルデータ等に変換された信号でも良い。
【００３２】
２７は制御回路であり、外部操作信号Ｐ１と駆動パルスＰ１０と歩度パルスＰ１１とを入力し、外部操作信号Ｐ１に応じて駆動パルスＰ１０、または、歩度パルスＰ１１のどちらかのパルスを選択してモータ信号Ｐ１２として出力する。
【００３３】
２８は通信パルス作成回路であり、タイミング信号Ｐ６と外部操作信号Ｐ１を入力し、通信パルスＰ１３を出力する。この通信パルスＰ１３は、外部装置１００と非接触通信を行うための信号である。なお、通信パルス作成回路２８は、外部操作信号Ｐ１の入力によって、通信パルスＰ１３の出力を許可するように動作する。
【００３４】
２９はモータ駆動回路であり、モータ信号Ｐ１２と通信パルス信号Ｐ１３を入力し、二つの駆動端子ＯＵＴ１とＯＵＴ２から駆動信号をそれぞれ出力する。このモータ駆動回路
２９は、低インピーダンス出力の二つのバッファー回路（図示せず）を内蔵し、その出力が駆動端子ＯＵＴ１、ＯＵＴ２に接続される。また、二つのバッファー回路は、通信パルス信号Ｐ１３が入力されると、駆動端子ＯＵＴ１またはＯＵＴ２の一方をオープン状態にする機能を備えている。駆動端子ＯＵＴ１とＯＵＴ２は、モータ１０のコイル１１の二つの端子にそれぞれ接続され、これにより、モータ１０はモータ駆動回路２９によって駆動される。
【００３５】
３０は起電力検出回路であり、モータ１０のコイル１１の両端に接続された駆動端子ＯＵＴ１、ＯＵＴ２からの起電力Ｖ１を入力し、コイル１１からの起電力を検出して、回転検出信号Ｐ７と、外部装置１００から受信した受信信号Ｐ８を出力する。
【００３６】
３１は通信制御回路であり、受信信号Ｐ８を入力して解読し、歩度調整データを取得して、分周回路２２の分周比を制御する分周制御信号Ｐ１４と、発振回路２１のコンデンサ（図示せず）を切り替える発振制御信号Ｐ１５を出力する。なお、通信制御回路３１は、図示しないが内部に不揮発性メモリを備えており、受信信号Ｐ８を解読して得た歩度調整データを記憶する。
【００３７】
ここで、電子回路２０の特徴は制御回路２７にある。すなわち、制御回路２７は、外部操作信号Ｐ１によって、駆動パルスＰ１０と歩度パルスＰ１１のモータ駆動回路２９への出力状態を制御し、リューズ３の操作位置に応じて、駆動パルスＰ１０を出力するか、歩度パルスＰ１１を出力するかを選択するのである。ここで、駆動パルスＰ１０を出力する動作を通常運針モードと定義し、歩度パルスＰ１１を出力する動作を歩度測定モードと定義する。なお、図１のブロック図の動作は、後述するフローチャート（図３）とタイミングチャート（図４〜図６など）を用いて説明する。
【００３８】
［実施形態の電子時計の外観と操作説明：図２］
次に実施形態の電子時計の外観と操作の一例を図２を用いて説明する。図２において、電子時計１の外観は、表示部６、金属等によって成る外装７、リューズ３などによって構成される。また、８は使用者の腕に電子時計１を装着するためのバンドである。
【００３９】
表示部６は、秒針６ａ、分針６ｂ、時針６ｃ、及び日付を表示する日板６ｄなどによって構成される。また、リューズ３は外装７の側面の３時方向に配設され、通常位置では外装７に近接し、その一部が外装７に嵌め込まれた位置に置かれるが、使用者（図示せず）の操作によってリューズ３が矢印Ａの軸方向に押し引きされることにより、外装７よりやや離れた位置である１段引き位置、及び、外装７より最も離れた位置である２段引き位置に移動することが出来る。
【００４０】
ここで、リューズ３が外装７に嵌め込まれた通常位置において、電子時計１は通常運針モードで連続運針を継続する。また、リューズ３が１段引かれた１段引き位置においては、リューズ３を回転して日板６ｄを動かし日付を修正出来る。また、リューズ３が２段引かれた２段引き位置においては、リューズ３を回転させて指針を動かし時刻合わせを行うことが出来る。また、リューズ３の２段引き位置においては、詳細は後述するが、連続運針を停止した歩度測定モード、及び、歩度測定モードに付加される非接触通信動作に移行する。
【００４１】
なお、歩度測定モードに移行するための操作は限定されず、たとえば、リューズ３の一段引きでも良く、また、図示しないが、リューズ３以外の操作ボタンを外装７の側面などに備えて、その操作ボタンを押圧することで、歩度測定モードに移行しても良い。
【００４２】
［実施形態の電子時計の基本動作フローの説明：図１、図２、図３］
次に、実施形態の基本動作フローを図３のフローチャートを用いて説明する。なお、電子時計１の内部構成は図１を参照し、外観は図２を参照する。
【００４３】
図３において、電子時計１の電子回路２０は、外部入力回路２６によって、リューズ３の操作位置に応じて外部操作信号Ｐ１を出力し、リューズ３が２段引きされたかを判定する（ＳＴ１）。ここで、肯定判定（リューズ３は２段引き位置）であれば、次のＳＴ２へ進み、否定判定（リューズ３は通常位置）であれば、ＳＴ８へ進む。
【００４４】
ＳＴ１で否定判定がなされたならば、電子時計１の動作モードは通常運針モードとなり、電子回路２０の制御回路２７は、駆動パルス成形回路２４からの駆動パルスＰ１０を選択してモータ信号Ｐ１２として出力する。すなわち、通常運針モードにおいて、制御回路２７から出力するモータ信号Ｐ１２は、駆動パルスＰ１０と同一信号である。モータ駆動回路２９はモータ信号Ｐ１２を入力し、駆動端子ＯＵＴ１、ＯＵＴ２から駆動パルスＰ１０を交互に出力して、モータ１０を一例として１６Ｈｚの速さで動かし、表示部６の秒針６ａを滑らかに連続運針する（ＳＴ８）。
【００４５】
電子回路２０は、駆動パルスＰ１０の出力後、再びＳＴ１に戻ってリューズ３の操作位置を確認するが、リューズ３が通常位置であれば、通常運針モードが継続し、駆動パルスＰ１０の出力（ＳＴ８）が繰り返されるので、表示部６は連続運針を継続する。なお、駆動パルスＰ１０の詳細な説明は後述する。
【００４６】
また、ＳＴ１で肯定判定がなされたならば、電子時計１の動作モードは歩度測定モードとなり、制御回路２７は、駆動パルスＰ１０の選択をやめて歩度パルスＰ１１を選択する。すなわち、制御回路２７は外部操作信号Ｐ１によって、通常運針モードを歩度測定モードに切り替え、駆動パルスＰ１０の出力を停止し、歩度パルスＰ１１をモータ信号Ｐ１２として出力する。これにより、駆動端子ＯＵＴ１、ＯＵＴ２からの駆動パルスＰ１０の出力は停止する（ＳＴ２）。よって、表示部６は連続運針を停止する。
【００４７】
次に、制御回路２７は、駆動パルスＰ１０が停止するときの最後の出力が、駆動端子ＯＵＴ１から出力されたのか、駆動端子ＯＵＴ２から出力されたのかを判定し、最終出力の駆動端子ＯＵＴ１またはＯＵＴ２を記憶する（ＳＴ３）。
【００４８】
次に、制御回路２７は、動作モードが歩度測定モードに切り替わったので、歩度パルスＰ１１をモータ信号Ｐ１２として出力し、モータ駆動回路２９は、駆動パルスＰ１０が最後に出力された記憶情報に基づいて、その駆動端子から歩度パルスＰ１１を出力する（ＳＴ４）。すなわち、ＳＴ２で駆動パルスＰ１０が停止したとき、最後に出力された駆動パルスＰ１０が駆動端子ＯＵＴ１から出力された場合、歩度パルスＰ１１は駆動端子ＯＵＴ１から継続して出力される。また、ＳＴ２で駆動パルスＰ１０が停止したとき、最後に出力された駆動パルスＰ１０が駆動端子ＯＵＴ２から出力された場合、歩度パルスＰ１１は駆動端子ＯＵＴ２から継続して出力される。
【００４９】
これにより、歩度パルスＰ１１は、駆動端子ＯＵＴ１、ＯＵＴ２のどちらか一方の端子からのみ出力されるので、モータ駆動回路２９の駆動端子ＯＵＴ１、ＯＵＴ２の特性差を排除出来、安定した歩度測定を実現できる。また、歩度パルスＰ１１は、最後に出力された駆動パルスＰ１０と同じ駆動端子から出力されるので、歩度パルスＰ１１によって、モータ１０が駆動され回転することを確実に防ぐことが出来る。なお、歩度パルスの詳細な説明は後述する。
【００５０】
次に、通信パルス作成回路２８は、外部操作信号Ｐ１によって動作モードが歩度測定モードに切り替わったので、通信パルスＰ１３の出力を許可されて、外部装置１００との非
接触通信を実行する（ＳＴ５）。
【００５１】
ここで、通信パルス作成回路２８は、入力するタイミング信号Ｐ６に基づいて、歩度パルスＰ１１に同期した複数の通信パルスＰ１３を出力し、モータ１０のコイル１１を通信パルスＰ１３のタイミングで一時的にハイインピーダンスにする。これにより、コイル１１がハイインピーダンスになることで、外部装置１００からの信号を非接触で受信することが出来る。なお、非接触通信動作の詳細な説明は後述する。
【００５２】
次に、制御回路２７は外部操作信号Ｐ１を入力して、リューズ３の２段引き状態が継続しているかを判定する（ＳＴ６）。ここで、否定判定（リューズは通常位置に戻った）であれば、ＳＴ８へ進み、通常運針モードに移行して歩度パルスＰ１１を停止し、駆動パルスＰ１０の出力を行い、以降、リューズ３が２段引きされるまで、通常運針モードを継続する。
【００５３】
また、ＳＴ６で肯定判定（リューズは２段引き位置を継続）であれば、電子時計１は歩度測定モードを継続し、制御回路２７は前回の歩度パルスＰ１１の出力から１秒が経過したかを判定する（ＳＴ７）。ここで、１秒未満であれば、ＳＴ６とＳＴ７を繰り返して１秒が経過するまでウエイトする。
【００５４】
次に、ＳＴ７で１秒経過すれば、制御回路２７の制御はＳＴ４へ戻り、再び歩度パルスＰ１１をモータ信号Ｐ１２として出力し、モータ駆動回路２９は、歩度パルスＰ１１を前回と同じ駆動端子ＯＵＴ１、またはＯＵＴ２から出力する（ＳＴ４）。以降、リューズ３が通常位置に戻るまで、ＳＴ４からＳＴ７の動作が繰り返される。
【００５５】
すなわち、本発明の電子時計は、外部操作部材であるリューズ３が通常位置のときは、通常運針モードとして指針が滑らかに動く連続運針を行い、リューズ３が操作されて通常位置とは異なる２段引き位置となったときは、歩度測定を行うための歩度測定モードに移行し、連続運針が停止すると共に、歩度を測定するための歩度パルスＰ１１が１秒ごとにモータ１０に供給されて、一般的な１秒ごとの歩度測定を実施することが出来る。また、歩度測定モードは、外部装置１００との非接触通信も行うことが出来、歩度パルスＰ１１に同期して通信パルスＰ１３を出力することにより、安定した非接触通信を実現することが出来る。
【００５６】
［実施形態の電子時計の通常運針モードと歩度測定モードの動作説明：図１、図４］
次に、実施形態の通常運針モードと歩度測定モードでの駆動パルスと歩度パルスの一例を図４のタイミングチャートを用いて説明する。なお、電子時計１の内部構成は図１を参照する。
【００５７】
図４において、外部操作信号Ｐ１が論理“０”のときは、リューズ３が通常位置にあり、電子時計１は通常運針モードである。また、リューズ３が２段引きされると、外部操作信号Ｐ１は論理“１”となり（タイミングＴ１）、電子時計１は歩度測定モードに移行する。
【００５８】
電子時計１が通常運針モードのときは、駆動端子ＯＵＴ１、ＯＵＴ２から、駆動パルスＰ１０が交互に１６Ｈｚ（周期６２．５ｍＳ）の間隔で連続的に出力される。なお、駆動パルスＰ１０は、実際には複数のパルス群によって構成されるが、駆動パルスＰ１０の詳細は後述する。ここで、駆動パルスＰ１０は１６Ｈｚの間隔に限定されないが、連続運針であるので、１秒周期よりは短い周期で出力される。
【００５９】
電子時計１が歩度測定モードのときは、駆動パルスＰ１０が最後に出力された駆動端子
から、歩度パルスＰ１１が１秒周期で出力される。図４においては、歩度測定モードに移行する直前、駆動パルスＰ１０が最後に出力された駆動端子はＯＵＴ２であるので、歩度パルスＰ１１は、駆動端子ＯＵＴ２から継続して出力される。ここで、歩度パルスＰ１１の周期は１秒に限定されないが、Ｎ秒（Ｎは、Ｎ≧１の自然数）周期で出力されることで、一般的な歩度測定器によって正常な歩度測定が可能となる。なお、歩度パルスＰ１１の詳細は後述する。
【００６０】
また、リューズ３が通常位置に戻ると、外部操作信号Ｐ１は再び論理“０”となり（タイミングＴ２）、電子時計１は通常運針モードに復帰する。通常運針モードに復帰すると、駆動パルスＰ１０が最後に出力された駆動端子と異なる駆動端子から、最初の駆動パルスＰ１０が出力し、以降、駆動端子ＯＵＴ１、ＯＵＴ２から、駆動パルスＰ１０が交互に１６Ｈｚ（周期６２．５ｍＳ）の間隔で連続的に出力される。
【００６１】
図４においては、タイミングＴ１の直前に、最後に出力された駆動パルスＰ１０は駆動端子ＯＵＴ２から出力されているので、タイミングＴ２で通常運針モードに復帰した最初の駆動パルスＰ１０は、駆動端子ＯＵＴ１から出力される。この動作によって、二極ステップモータであるモータ１０は回転ミスを起こすことなく、駆動パルスＰ１０が出力されるごとに順次回転することが出来る。
【００６２】
［実施形態の電子時計の駆動パルスの詳細説明：図１、図５］
次に、実施形態の通常運針モードにおける駆動パルスの一例を図５のタイミングチャートを用いて詳細に説明する。なお、電子時計１の内部構成は図１を参照する。
【００６３】
図５において、駆動端子ＯＵＴ１から駆動パルスＰ１０が出力する（タイミングＴ１０）と、その後、６２．５ｍＳ後に、駆動端子ＯＵＴ２から次の駆動パルスＰ１０が出力する（タイミングＴ２０）。また、タイミングＴ２０の６２．５ｍＳ後に、駆動端子ＯＵＴ１から再び駆動パルスＰ１０が出力する（タイミングＴ３０）。このように、駆動パルスＰ１０は、二つの駆動端子ＯＵＴ１とＯＵＴ２から交互に出力される。
【００６４】
駆動パルスＰ１０は、図示するように複数のパルスによって成り、複数のパルスを合計したパルス幅は、一例として約５ｍＳである。また、駆動パルスＰ１０の出力後（タイミングＴ１１）、所定の期間が経過して後、タイミングＴ１２から補正パルスＰ１０ａが出力する。この補正パルスＰ１０ａは、駆動パルスＰ１０によってモータ１０が回転できなかった場合、その回転状態を検出して出力される駆動パルスＰ１０を補うパルスである。
【００６５】
この補正パルスＰ１０ａも複数のパルスによって成るが、そのパルス幅は駆動パルスＰ１０より広く、一例として約１２ｍＳである。ここで、駆動パルスＰ１０と補正パルスＰ１０ａの間のタイミングＴ１１からＴ１２の期間は数十ｍＳあり、この期間はモータ１０が駆動パルスＰ１０によって正しく回転されたかを検出するための回転検出期間Ｋである。
【００６６】
この回転検出期間Ｋに、モータ１０のコイル１１の両端子に接続される駆動端子ＯＵＴ１、ＯＵＴ２の一方がオーブンとなり、起電力検出回路３０は、コイル１１からの起電力Ｖ１を入力してモータ１０の回転状態を検出し、回転不足が判定されると回転検出信号Ｐ７を駆動パルス成形回路２４に対して出力する。すなわち、図示するように、回転検出信号Ｐ７はタイミングＴ１１とＴ１２の間の回転検出期間Ｋに出力される。
【００６７】
ここで、駆動パルス成形回路２４は回転検出信号Ｐ７を入力すると、タイミングＴ１２で補正パルスＰ１０ａを出力し、モータ１０の回転不足を補って、モータ１０が常に正常に回転するように補正を行う。この補正パルスＰ１０ａをモータ１０の回転状態に応じて
出力する技術は公知であるが、駆動パルスＰ１０が出力を開始するタイミングＴ１０から、補正パルスＰ１０ａが出力を終了するタイミングＴ１３までは、最大で４８ｍＳ程度必要となる。
【００６８】
ここで、電子時計１が連続運針して指針を滑らかに動かす場合、駆動パルスＰ１０は、前述したように、１６Ｈｚ（周期６２．５ｍＳ）位で駆動することが好ましく、この場合、駆動パルスＰ１０の開始から補正パルスＰ１０ａの終了までが約４８ｍＳであるとすれば、パルスが出力されない休止期間は、わずか約１４．５ｍＳとなる。
【００６９】
ここで、従来のような１秒運針の時計であれば、この休止期間は十分に長いので、この休止期間を用いて、外部装置との非接触通信を行うことが出来る。しかし、本発明のように、秒針が滑らかに動く連続運針の場合は、このように休止期間が極めて短く、且つ、短い周期で繰り返されるので、外部装置との非接触通信を実施することは、極めて困難である。
【００７０】
また、歩度測定器による歩度測定においても、図５で示すように、駆動パルスＰ１０と補正パルスＰ１０ａが短い周期で連続的に出力されるので、モータ１０からは連続した電磁パルスが発生する。このため、１秒周期で発生する電磁パルスを検出して歩度測定を行うことが前提の歩度測定器では、このような連続運針のアナログ時計の歩度測定を高精度に行うことは極めて難しいことが理解できる。
【００７１】
［実施形態の電子時計の歩度パルスの詳細説明：図１、図６］
次に、実施形態の歩度測定モードにおける歩度パルスの一例を図６のタイミングチャートを用いて詳細に説明する。なお、電子時計１の内部構成は図１を参照する。歩度測定モードは、前述したように、リューズ３が２段引きされることで、連続運針の駆動パルスＰ１０が停止し、１秒ごとの歩度パルスＰ１１が出力されるモードである。
【００７２】
図６は、歩度測定モードにおける駆動端子ＯＵＴ２の出力状態を示しており、駆動端子ＯＵＴ２から１秒ごとに歩度パルスＰ１１が出力している。この歩度パルスＰ１１は、前述したように、歩度測定モードに移行する直前の駆動パルスＰ１０が最後に出力された駆動端子から出力される。よって、図６の例では、歩度パルスＰ１１は駆動端子ＯＵＴ２から出力しているが、駆動端子ＯＵＴ１から出力される場合もある。
【００７３】
この歩度パルスＰ１１がモータ１０のコイル１１に供給されることによって、コイルから１秒周期の電磁パルスが発生し、歩度測定器（図示せず）は、電子時計１の歩度を測定することが出来る。また、歩度パルスＰ１１のパルス幅は一例として約３２μＳであり、非常に狭いパルス幅であるが、歩度測定器は狭いパルス幅であっても、十分に電磁パルスを検出できる。また、パルス幅が狭いので、歩度パルスＰ１１によってモータ１０が動作することはなく、また、モータ１０に流れる電流も少ないので、電子時計の電池寿命に影響することはない。
【００７４】
また、図６において、外部装置１００（図１参照）と非接触通信を行う場合は、歩度パルスＰ１１に同期して、通信パルス作成回路２８から通信パルスＰ１３が出力する。
この通信パルスＰ１３は、パルス幅の狭い複数のパルス群で構成され、一例として、歩度パルスＰ１１から約１２５ｍＳ後に出力される。
【００７５】
また、通信パルスＰ１３のパルス幅は、一例として約３２μＳであり、パルスの間隔は、約１ｍＳであり、通信パルスＰ１３の出力開始から終了までの期間は、一例として約３０ｍＳである。この通信パルスＰ１３がモータ駆動回路２９に入力すると、モータ１０のコイル１１の両端子に接続される駆動端子ＯＵＴ１、ＯＵＴ２の一方がオーブンとなり、
起電力検出回路３０は、この通信パルスＰ１３のタイミングでコイル１１からの起電力Ｖ１を駆動端子ＯＵＴ１、ＯＵＴ２を介して入力し、外部装置１００からの信号を受信する。なお、非接触通信の詳細は、動作原理の説明として後述する。
【００７６】
このように、非接触通信を行うための通信パルスＰ１３は、歩度信号Ｐ１１を基準として１５０ｍＳ以上の期間が必要であり、連続運針を行うアナログ時計では、通信時間が足らず、非接触通信を行うことは出来ない。しかし、本発明の電子時計では、歩度測定モードを利用して非接触通信を行うので、図６に示すように十分な余裕を持って非接触通信を実施ことが出来る。
【００７７】
［実施形態の電子時計の非接触通信の動作フロー説明：図１、図７］
次に、実施形態の歩度測定モードにおける非接触通信の動作フローを図７のフローチャートを用いて説明する。なお、電子時計１の内部構成は図１を参照する。また、この電子時計の非接触通信技術は公知であり、詳細は特許文献２に開示されているので、本発明では基本的な動作フロー（図７）と基本原理（図８後述）の概略を説明する。また、本実施形態の非接触通信は、受信データによって電子時計の歩度調整を行うこと例として説明する。
【００７８】
図７において、通信パルス作成回路２８はタイミング信号Ｐ６によって、歩度パルスＰ１１の出力から所定の期間の後に、複数の通信パルスＰ１３を所定の周期で出力する（ＳＴ１１）。ここで、前述したように、歩度パルスＰ１１からの所定の期間は一例として約１２５ｍＳであり、通信パルスＰ１３の周期は、約１ｍＳである（図６参照）。
【００７９】
次に、電子回路２０の起電力検出回路３０は、外部装置１００からの磁束Ｍによってモータ１０から起電力Ｖ１が発生し、外部装置１００からの受信を検出できるかを判定する（ＳＴ１２）。ここで、起電力検出回路３０が受信を検出出来れば、次のＳＴ１３に進み、受信を検出出来なければ非接触通信動作を終了する。
【００８０】
次に、起電力検出回路３０が、ＳＴ１２において外部装置１００からの起電力Ｖ１を検出して受信有りと判定したならば、モータ１０からの起電力Ｖ１を波形成形して受信信号Ｐ８として出力する（ＳＴ１３）。ここで、受信信号Ｐ８は、通信パルスＰ１３に同期した信号であるが、詳細は後述する図８で説明する。
【００８１】
次に、電子回路２０の通信制御回路３１は、受信信号Ｐ８を入力して解読し、外部装置１００からの受信データを取得する（ＳＴ１４）。
【００８２】
次に、通信制御回路３１は、解読した受信データを、内蔵するメモリ（図示せず）に入力し、メモリの内容をこの新しい受信データに書き換える（ＳＴ１５）。ここで、本実施形態の電子時計が、受信データによって歩度調整を実施することを例とするならば、通信制御回路３１のメモリに書き換えられたデータは、歩度調整データである。なお、外部装置１００からの受信データは限定されるものではなく、どのような種類のデータであっても良い。
【００８３】
次に、通信制御回路３１は、メモリに書き換えられた新しい歩度調整データに基づいて、分周制御信号Ｐ１４と発振制御信号Ｐ１５を出力し、電子時計１の歩度を調整する（ＳＴ１６）。以上、ＳＴ１０からＳＴ１６によって非接触通信の基本動作フローが終了する。
【００８４】
［実施形態の電子時計の非接触通信の動作原理の説明：図１、図８］
次に、実施形態の歩度測定モードにおける非接触通信の動作原理を図８のタイミングチ
ャートを用いて説明する。なお、電子時計１の内部構成は図１を参照する。また、この電子時計の非接触通信技術は公知であるので、ここでは基本原理の概略を説明する。
【００８５】
図８において、歩度測定モードに移行した電子時計１の駆動端子ＯＵＴ２から１秒ごとに歩度パルスＰ１１が出力する。この歩度パルスＰ１１に同期して、複数の通信パルスＰ１３が出力されると、モータ駆動回路２９は通信パルスＰ１３によって、歩度パルスＰ１１が出力されている側の駆動端子ＯＵＴ２をオープンにし、接続されているコイル１１を通信パルスＰ１３の狭いパルス幅のタイミングで一時的にハイインピーダンスにする。すなわち、歩度パルスＰ１１と通信パルスＰ１３は、２端子の駆動端子のどちらか一方の同一の端子から出力される。
【００８６】
一方、外部装置１００は送受信のための通信コイル（後述する）を内蔵し、電子時計１の歩度パルスＰ１１を通信コイルで検出すると、受信した歩度パルスＰ１１のタイミングに同期して、所定の周波数の交流信号Ｅを通信コイルに供給し、磁束Ｍを発生させる。ここで、外部装置１００は、送信するデータをシリアルデータとして、各ビットの論理に応じて交流信号Ｅの位相を変えることで、送信データを交流信号Ｅに乗せる位相変調方式を採用している。
【００８７】
たとえば、図示するように、送信データが７ビットであって、そのデータが論理“１１０１１０１”である場合、外部装置１００は、最初の論理“１１”のときの交流信号Ｅの位相に対して、次の論理“０”のときでは交流信号Ｅの位相を１８０度反転して出力する。また、その次のデータが論理“１”であるので、交流信号Ｅの位相を再び１８０度元に戻して出力する。以下同様に送信データの論理に応じて位相を１８０度反転させる。
【００８８】
これにより、送信データに応じて位相が１８０度変化する交流信号Ｅが外部装置１００の通信コイルに供給されるので、この通信コイルに近接する位置に電子時計１が置かれるならば、電子時計１のモータ１０のコイル１１の両端には、外部装置１００が出力する交流信号Ｅと位相がほぼ等しい起電力Ｖ１が発生する。
【００８９】
ここで、モータ１０のコイル１１は、前述したように、通信パルスＰ１３のタイミングで一時的にハイインピーダンスになるので、実際には、通信パルスＰ１３が出力するタイミングでコイル１１の両端に起電力Ｖ１がパルス状に発生し、他のタイミングでは、プラス電圧ＶＤＤと同電位に保持される。これにより、コイル１１の両端に接続している駆動端子ＯＵＴ１とＯＵＴ２に、通信パルスＰ１３のタイミングで起電力Ｖ１が伝達される。
【００９０】
図８では、駆動端子ＯＵＴ２に伝達された起電力Ｖ１を示している。起電力検出回路３０は、この通信パルスＰ１３のタイミングで駆動端子ＯＵＴ２に伝達される起電力Ｖ１を波形成形して受信信号Ｐ８として出力し、通信制御回路３１は、この受信信号Ｐ８を入力して受信データとして記憶する。
【００９１】
ここで、起電力検出回路３０が通信パルスＰ１３のタイミングで行う波形成形の一例を説明する。図８において、通信パルスＰ１３のタイミングで、交流信号Ｅがプラス電位である場合、駆動端子ＯＵＴ２に伝達される起電力Ｖ１は、プラス電圧ＶＤＤに近い電圧となるので、受信信号Ｐ８は論理“１”となって通信パルスＰ１３に同期したパルスが生成される。また、通信パルスＰ１３のタイミングで、交流信号Ｅがマイナス電位である場合、駆動端子ＯＵＴ２に伝達される起電力Ｖ１は、マイナス電圧ＶＳＳに近い電圧となるので、受信信号Ｐ８は論理“０”となってパルスは生成されない。
【００９２】
よって、受信データＰ８は、図示するように通信パルスＰ１３の第１、第２、第４、第５、第７の各ビットでパルスが出力され、第３、第６ビットでは、パルスは出力されない
。これにより、通信制御回路３１は、受信信号Ｐ８から７ビットの受信データを取得することが出来る。なお、受信データは７ビットに限定されず、実際には誤り符号等を含めて数十ビットによって構成される。
【００９３】
ここで、外部装置１００が非接触通信によって電子時計１の歩度調整を行う歩度調整装置であるのなら、得られた受信データは歩度調整データである。これにより、通信制御回路３１は、この歩度調整データに基づいて分周制御信号Ｐ１４と発振制御信号Ｐ１５を出力して、分周回路２２の分周比を制御し、また、発振回路２１のコンデンサを切り替えて発振周波数を微調整し、高精度な歩度調整を実現することが出来る。
【００９４】
［実施形態の電子時計の非接触通信の実際例：図９］
次に、実施形態の電子時計を外部装置に近接させて、非接触通信を行う場合を図９を用いて説明する。ここで説明の前提として、外部装置は電子時計の歩度を非接触通信によって調整する歩度調整装置であることとする。
【００９５】
図９において、電子時計１のリューズ３を操作して、リューズ３を２段引き位置にして、電子時計１を歩度測定モードとする。次に、この状態で電子時計１を歩度調整装置１００の調整エリア１０１に置く。歩度調整装置１００の調整エリア１０１の下部には、通信コイル１０２が配置されており、電子時計１を調整エリア１０１に置くことによって、電子時計１のモータ１０（図１参照）と通信コイル１０２が近接し、電磁結合することが出来る。
【００９６】
これにより、歩度調整装置１００は、電子時計１からの歩度パルスＰ１１を受信し、これに同期して前述した送信データを乗せた交流信号Ｅを通信コイル１０２に出力することで、電子時計１に歩度調整データを送信することが出来る。なお、通信コイル１０２は、送信コイルと受信コイルの二つに分けても良い。
【００９７】
以上の作業によって、外装に入った完成品の電子時計１のリューズ３を簡単に操作するだけで、歩度調整装置１００との非接触通信を実施出来るので、電子時計の歩度調整工程での作業性が改善され、また、時計が市場に出回ったときのメンテナンス性にも優れている。また、外装に入れた状態で歩度調整が出来るので、水晶振動子が浮遊容量の影響や応力の変化で発振周波数に変化が生じたとしても、そのような要因を排除した高精度に歩度調整された電子時計を提供することが出来る。
【００９８】
また、本発明の非接触通信は、前述したように、歩度測定モードでの１秒ごとの歩度パルスＰ１１に同期して実施されるので、従来の１秒運針によるアナログ電子時計の非接触通信動作と同様である。これにより、歩度調整装置１００は、従来の回路構成のものをそのまま使用できるので、装置の改造などの必要が無く、本発明の効果は大きい。
【００９９】
また、図９では外部装置を歩度調整装置として説明したが、これに限定されず、どのような装置にでも適応できる。たとえば、電子時計１にセンサーが搭載されている場合、そのセンサーによって得られた情報を送受信する送受信装置でも良い。また、外部装置は電子時計１からの歩度パルスＰ１１を検出して歩度を測定する歩度測定器でも良い。この歩度測定器においても、従来の１秒運針のアナログ電子時計用の歩度測定器をそのまま使用することが出来る。また、外部装置は、歩度測定器と歩度調整装置を組み合わせた装置でも良い。
【０１００】
［実施形態の電子時計の非接触通信動作の変形例の説明：図１０］
次に、実施形態の非接触通信動作の変形例の動作フローを図１０のフローチャートを用いて説明する。なお、電子時計１の内部構成は図１を参照する。また、動作フローは受信
データによって電子時計の歩度調整を実施すること例として説明する。この非接触通信動作の変形例は、非接触通信が歩度測定モードと分離して行われることを特徴とする。
【０１０１】
図１０において、電子時計１は、非接触通信が許可されているかどうかを判定する（ＳＴ２１）。ここで、非接触通信の許可は、一例として電子時計１の外装７（図２参照）の側面に操作ボタン（図示せず）を設け、電子時計１が歩度測定モードであるときに、この操作ボタンを押圧することで、非接触通信を許可するなどの処理を行うと良い。
【０１０２】
ここで、ＳＴ２１において肯定判定（非接触通信許可）であれば、次のＳＴ１１へ進み、否定判定（非接触通信不許可）であれば、非接触通信を実施せずに非接触通信動作を終了する。また、非接触通信動作のＳＴ１１からＳＴ１６は、前述の図７で説明した非接触通信の基本動作フローと同一であるので説明は省略する。
【０１０３】
このように、非接触通信動作の変形例は、電子時計１がリューズ３の操作で歩度測定モードとなっても、非接触通信を実施しない。非接触通信を実施するには、さらに別の操作が必要となる。これにより、歩度測定と非接触通信を分離することが出来る。この結果、歩度測定だけを目的にして歩度測定モードに移行させる場合は、非接触通信を行わないので、電子時計１は不要な動作を行わずにすむ利点がある。
【０１０４】
ここで、非接触通信動作は、前述したように、通信パルスＰ１３の狭いパルス幅のタイミングによって外部からの信号を受信するので、外部ノイズの影響を受けにくいが、歩度測定モードで常に非接触通信動作状態であると、外部ノイズを受信信号として受信してしまう可能性は零ではないので、誤動作が生じる危険性がある。しかし、この非接触通信動作の変形例のように、電子時計１が歩度測定モードに移行してから、さらに別操作で非接触通信を許可して非接触通信動作を行うことで、誤動作の発生を抑制することが出来る。
【０１０５】
［実施形態の電子時計の非接触通信動作の他の変形例の説明：図１１］
次に、実施形態の非接触通信動作の他の変形例の動作フローを図１１のフローチャートを用いて説明する。なお、電子時計１の内部構成は図１を参照する。また、動作フローは受信データによって電子時計の歩度調整を実施すること例として説明する。この非接触通信動作の他の変形例は、非接触通信の実施に所定の時間制限が付加されることを特徴とする。
【０１０６】
図１１において、電子時計１は、非接触通信が許可されているかどうかを判定する（ＳＴ３０）。ここで、非接触通信の許可は、非接触通信動作の他の変形例の場合は、リューズ３の操作によって電子時計１が歩度測定モードに移行したときに、同時に非接触通信が許可される。
【０１０７】
ここで、ＳＴ３０において肯定判定（非接触通信許可）であれば、次のＳＴ３１へ進み、否定判定（非接触通信不許可）であれば、非接触通信を実施せずに非接触通信動作を終了する。
【０１０８】
次に、通信パルス作成回路２８は、ＳＴ３０で肯定判定（非接触通信許可）であれば、内部のタイマ回路（図示せず）をリセットして、タイマ回路のカウントを開始する（ＳＴ３１）。以降の非接触通信動作のステップＳＴ１１からＳＴ１６は、前述の図７で説明した非接触通信の基本動作フローと同一であるので説明は省略するが、ＳＴ１２で外部装置１００からの受信が検出されない場合は、ＳＴ３２に進む。
【０１０９】
ＳＴ３２では、通信パルス作成回路２８の内部タイマのカウント値と所定の時間データが比較され、タイマのカウント値が所定の時間データ以下であれば、そのまま非接触通信
動作を終了する。また、タイマのカウント値が所定の時間データに達していれば（時間オーバー）、次のＳＴ３３に進む（ＳＴ３２）。
【０１１０】
次に、通信パルス作成回路２８はＳＴ３２で時間オーバーであれば、非接触通信を不許可（禁止）にしてから非接触通信動作を終了する（ＳＴ３３）。
【０１１１】
このＳＴ３２とＳＴ３３の制御によって、非接触通信が所定の時間オーバーでない場合は、非接触通信許可が継続するので、１秒後に再び歩度パルスＰ１１が出力して非接触通信動作が再開された場合、ＳＴ３０で肯定判定されて、通信パルスＰ１３が再び出力される。しかし、非接触通信が所定の時間オーバーになると、非接触通信動作は禁止されるので（ＳＴ３３）、１秒後に再び歩度パルスＰ１１が出力して非接触通信動作が再開された場合、ＳＴ３０で否定判定されて、非接触通信は行われずに終了する。
【０１１２】
このように、非接触通信動作の他の変形例は、電子時計１がリューズ３の操作で歩度測定モードになれば、同時に非接触通信が許可されるが、非接触通信は受信を検出しなければ、予め決められた所定の時間で終了するタイマ動作となる。すなわち、非接触通信の動作は時間制限が付加される。これにより、歩度測定モードが継続した場合、電子時計１が外部ノイズを受信信号として受信して非接触通信が誤動作する可能性を排除することが出来る。
【０１１３】
以上のように、本発明の電子時計によれば、連続運針によって指針が滑らかに動くアナログ時計の歩度測定と非接触通信とを容易に実現し、信頼性に優れた歩度測定や非接触通信による高精度な歩度調整機能を備えた電子時計を提供することが出来る。
【０１１４】
なお、本発明の実施例で示したブロック図、フローチャート、タイミングチャート等は、これに限定されるものではなく、本発明の要旨を満たすものであれば、任意に変更してよい。
【産業上の利用可能性】
【０１１５】
本発明の電子時計は、最近見直されつつある連続運針のアナログ電子時計に好適である。
【符号の説明】
【０１１６】
１  電子時計
２  水晶振動子
３  リューズ
５  電池
６  表示部
６ａ  秒針
６ｂ  分針
６ｃ  時針
６ｄ  日板
７  外装
１０  モータ
１１  コイル
２０  電子回路
２１  発振回路
２２  分周回路
２３  タイミング信号作成回路
２４  駆動パルス成形回路
２５  歩度パルス成形回路
２６  外部入力回路
２７  制御回路
２８  通信パルス作成回路
２９  モータ駆動回路
３０  起電力検出回路
３１  通信制御回路
１００  外部装置（歩度調整装置）
１０１  調整エリア
１０２  通信コイル
Ｐ１  外部操作信号
Ｐ２  基準信号
Ｐ３  分周信号
Ｐ４、Ｐ５、Ｐ６  タイミング信号
Ｐ７  回転検出信号
Ｐ８  受信信号
Ｐ１０  駆動パルス
Ｐ１０ａ  補正パルス
Ｐ１１  歩度パルス
Ｐ１２  モータ信号
Ｐ１３  通信パルス
Ｐ１４  分周制御信号
Ｐ１５  発振制御信号
Ｍ  磁束
ＯＵＴ１、ＯＵＴ２  駆動端子
Ｖ１  起電力
【図１】
2011185831.tif 000003
【図２】
2011185831.tif 000004
【図３】
2011185831.tif 000005
【図４】
2011185831.tif 000006
【図５】
2011185831.tif 000007
【図６】
2011185831.tif 000008
【図７】
2011185831.tif 000009
【図８】
2011185831.tif 000010
【図９】
2011185831.tif 000011
【図１０】
2011185831.tif 000012
【図１１】
2011185831.tif 000013